(57)【要約】【課題】画像解析と複数のデータリソースとから、起こりえる予測結果の相関関係を解析し、単体の画像の解析よりも高度な精度の予測を行うコンピュータシステム、動物診断方法及びプログラムを提供することを目的とする。【解決手段】動物を診断するコンピュータシステムは、前記動物の動物画像を取得し、取得した前記動物画像を画像解析し、前記動物の動物情報を取得し、取得した前記動物情報を分析し、前記画像解析した結果と、前記分析した結果との相関関係を分析し、分析した前記相関関係の結果に基づいて、前記動物を診断する。【選択図】図１
2018179219.tif 000002
【特許請求の範囲】
【請求項１】
動物を診断するコンピュータシステムであって、
前記動物の動物画像を取得する動物画像取得手段と、
取得した前記動物画像を画像解析する動物画像解析手段と、
前記動物の動物情報を取得する動物情報取得手段と、
取得した前記動物情報を分析する動物情報分析手段と、
前記画像解析した結果と、前記分析した結果との相関関係を分析する相関関係分析手段と、
分析した前記相関関係の結果に基づいて、前記動物を診断する動物診断手段と、
を備えることを特徴とするコンピュータシステム。
【請求項２】
前記動物画像解析手段は、予め記憶した動物画像と診断結果とを対応付けて学習し、学習した結果に基づいて、前記動物画像を画像解析する、
ことを特徴とする請求項１に記載のコンピュータシステム。
【請求項３】
前記動物情報分析手段は、予め記憶した動物情報と診断結果とを対応付けて学習し、学習した結果に基づいて、前記動物情報を分析する、
ことを特徴とする請求項１に記載のコンピュータシステム。
【請求項４】
前記動物画像解析手段は、予め記憶した可視光画像、赤外線画像、レントゲン画像、ＣＴスキャン画像又は超音波画像の少なくとも一つを診断結果と対応付けて学習し、
前記動物情報分析手段は、予め記憶した歩数データ、畜産カルテ、血液検査又はＢＣＳの少なくとも一つを診断結果と対応付けて学習する、
ことを特徴とする請求項１に記載のコンピュータシステム。
【請求項５】
動物を診断する動物診断方法であって、
前記動物の動物画像を取得するステップと、
取得した前記動物画像を画像解析するステップと、
前記動物の動物情報を取得するステップと、
取得した前記動物情報を分析するステップと、
前記画像解析した結果と、前記分析した結果との相関関係を分析するステップと、
分析した前記相関関係の結果に基づいて、前記動物を診断するステップと、
を備えることを特徴とする動物診断方法。
【請求項６】
動物を診断するコンピュータシステムに、
前記動物の動物画像を取得するステップ、
取得した前記動物画像を画像解析するステップ、
前記動物の動物情報を取得するステップ、
取得した前記動物情報を分析するステップ、
前記画像解析した結果と、前記分析した結果との相関関係を分析するステップ、
分析した前記相関関係の結果に基づいて、前記動物を診断するステップ、
を実行させるためのプログラム。
【発明の詳細な説明】
【技術分野】
【０００１】
本発明は、動物を診断するコンピュータシステム、動物診断方法及びプログラムに関する。
【背景技術】
【０００２】
近年、画像解析により動物を診断することが知られている（非特許文献１参照）。このような診断は、可視光画像、赤外線画像、レントゲン画像又は超音波画像等を用いた画像解析を行い、妊娠や疾病を診断する。
【先行技術文献】
【非特許文献】
【０００３】
【非特許文献１】ｈｔｔｐ：／／ｗｗｗ．ｋａｃｈｉｋｕｋａｎｓｅｎ．ｏｒｇ／ｋａｉｈｏ２／ＰＤＦ／１−３−１１７．ｐｄｆ
【発明の概要】
【発明が解決しようとする課題】
【０００４】
しかしながら、非特許文献１の構成では、取得できた画像データのみで妊娠や疾病を判定するものであり、複数のデータリソースを解析して、予測を行うものではなかった。【０００５】
本発明は、画像解析と複数のデータリソースとから、起こりえる予測結果（例えば、発情期や疾病）の相関関係を解析し、単体の画像の解析よりも高度な精度の予測を行うコンピュータシステム、動物診断方法及びプログラムを提供することを目的とする。
【課題を解決するための手段】
【０００６】
本発明では、以下のような解決手段を提供する。【０００７】
本発明は、動物を診断するコンピュータシステムであって、
前記動物の動物画像を取得する動物画像取得手段と、
取得した前記動物画像を画像解析する動物画像解析手段と、
前記動物の動物情報を取得する動物情報取得手段と、
取得した前記動物情報を分析する動物情報分析手段と、
前記画像解析した結果と、前記分析した結果との相関関係を分析する相関関係分析手段と、
分析した前記相関関係の結果に基づいて、前記動物を診断する動物診断手段と、
を備えることを特徴とするコンピュータシステムを提供する。【０００８】
本発明によれば、動物を診断するコンピュータシステムは、前記動物の動物画像を取得し、取得した前記動物画像を画像解析し、前記動物の動物情報を取得し、取得した前記動物情報を分析し、前記画像解析した結果と、前記分析した結果との相関関係を分析し、分析した前記相関関係の結果に基づいて、前記動物を診断する。【０００９】
本発明は、コンピュータシステムのカテゴリであるが、動物診断方法及びプログラム等の他のカテゴリにおいても、そのカテゴリに応じた同様の作用・効果を発揮する。
【発明の効果】
【００１０】
本発明によれば、画像解析と複数のデータリソースとから、起こりえる予測結果の相関関係を解析し、単体の画像の解析よりも高度な精度の予測を行うコンピュータシステム、動物診断方法及びプログラムを提供することが可能となる。
【図面の簡単な説明】
【００１１】
【図１】図１は、動物診断システム１の概要を示す図である。
【図２】図２は、動物診断システム１の全体構成図である。
【図３】図３は、コンピュータ１０の機能ブロック図である。
【図４】図４は、コンピュータ１０が実行する画像解析用学習処理を示すフローチャートである。
【図５】図５は、コンピュータ１０が実行する動物情報分析用学習処理を示すフローチャートである。
【図６】図６は、コンピュータ１０が実行する動物診断処理を示すフローチャートである。である。
【発明を実施するための形態】
【００１２】
以下、本発明を実施するための最良の形態について図を参照しながら説明する。なお、これはあくまでも一例であって、本発明の技術的範囲はこれに限られるものではない。
【００１３】
［動物診断システム１の概要］
本発明の好適な実施形態の概要について、図１に基づいて説明する。図１は、本発明の好適な実施形態である動物診断システム１の概要を説明するための図である。動物診断システム１は、コンピュータ１０から構成され、動物を診断するコンピュータシステムである。本実施形態において、動物診断システム１は、牛を診断するコンピュータシステムである。
【００１４】
コンピュータ１０は、図示していない可視光カメラ、赤外線カメラ、Ｘ線カメラ、ＣＴ（Ｃｏｍｐｕｔｅｄ  Ｔｏｍｏｇｒａｐｈｙ）、超音波カメラ等の各種撮像装置等や、画像とは異なる外部リソースを記憶、計測、検査等を行う各種装置、動物の歩数データ等の環境データを計測する各種センサ、疾病や発情の履歴データである畜産カルテやＢＣＳ（Ｂｏｄｙ  Ｃｏｎｄｉｔｉｏｎ  Ｓｃｏｒｅ）を記憶する図示していないコンピュータ、血液検査等の各種検査を実行する検査装置等に通信可能に接続された計算装置である。
【００１５】
はじめに、コンピュータ１０は、動物の動物画像を取得する（ステップＳ０１）。コンピュータ１０は、動物画像として、可視光画像、赤外線画像、レントゲン画像、ＣＴスキャン画像又は超音波画像の少なくとも一つを取得する。以下の説明において、牛の可視光画像を取得したものとして説明する。
【００１６】
コンピュータ１０は、取得した動物画像を画像解析する（ステップＳ０２）。コンピュータ１０は、動物画像の特徴量（発情兆候、発情時における特徴的な行動、発情粘液等）を解析する。コンピュータ１０は、例えば、可視光画像から牛の特徴量を分析し、追従、乗駕、休息中の規律、横臥中の突き行動、乗駕許容、粘液の流出、並び、争い、顎休め、フレーメン、乗駕検出器具を解析する。なお、コンピュータ１０は、予め記憶した動物画像と、この動物画像に対して行われた診断結果とを対応付けて学習し、学習した結果に基づいて、今回取得した動物画像を画像解析してもよい。
【００１７】
コンピュータ１０は、動物の動物情報を取得する（ステップＳ０３）。コンピュータ１０は、動物情報として、各種センサが計測した歩数データ等の環境データ、疾病や発情の履歴データである畜産カルテ、血液検査の結果又はＢＣＳの少なくとも一つを取得する。以下の説明において、歩数データを取得したものとして説明する。
【００１８】
コンピュータ１０は、取得した動物情報を分析する（ステップＳ０４）。コンピュータ１０は、例えば、発情期、呼吸器疾患、創傷性疾患、寄生虫病、繁殖障害、胃腸性疾患、代謝病等に動物が該当するか否かを分析する。なお、コンピュータ１０は、予め記憶した動物情報とこの動物情報に対して行われた診断結果とを対応付けて学習し、学習した結果に基づいて、今回取得した動物情報を分析してもよい。
【００１９】
コンピュータ１０は、画像解析した結果と、分析した結果との相関関係を分析する（ステップＳ０５）。コンピュータ１０は、例えば、画像解析の結果として、牛の動き、外陰部から発情粘液が流出、牛が一例に並んでいる等の結果を取得し、分析した結果として、歩数データや畜産カルテから発情期の症状を取得した場合、これらの相関関係を分析する。
【００２０】
コンピュータ１０は、分析した相関関係の結果に基づいて、動物を診断する（ステップＳ０６）。コンピュータ１０は、例えば、分析した相関関係の結果に基づいて、牛が発情期であると決定する。
【００２１】
以上が、動物診断システム１の概要である。
【００２２】
［動物診断システム１のシステム構成］
図２に基づいて、本発明の好適な実施形態である動物診断システム１のシステム構成について説明する。図２は、本発明の好適な実施形態である動物診断システム１のシステム構成を示す図である。動物診断システム１は、コンピュータ１０、公衆回線網（インターネット網や、第３、第４世代通信網等）５から構成され、動物を診断するコンピュータシステムである。
【００２３】
コンピュータ１０は、後述の機能を備えた上述した計算装置である。
【００２４】
［各機能の説明］
図３に基づいて、本発明の好適な実施形態である動物診断システム１の機能について説明する。図３は、コンピュータ１０の機能ブロック図を示す図である。
【００２５】
コンピュータ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。また、コンピュータ１０は、記憶部１３として、ハードディスクや半導体メモリ、記録媒体、メモリカード等によるデータのストレージ部を備える。また、コンピュータ１０は、処理部１４として、画像処理、状態診断、学習処理等の各種処理を実行するためのデバイス等を備える。
【００２６】
コンピュータ１０において、制御部１１が所定のプログラムを読み込むことにより、通信部１２と協働して、動物画像取得モジュール２０、診断結果取得モジュール２１、動物情報取得モジュール２２を実現する。また、コンピュータ１０において、制御部１１が所定のプログラムを読み込むことにより、記憶部１３と協働して、記憶モジュール３０を実現する。また、コンピュータ１０において、制御部１１が所定のプログラムを読み込むことにより、処理部１４と協働して、学習モジュール４０、画像解析モジュール４１、動物情報分析モジュール４２、相関関係分析モジュール４３、診断モジュール４４を実現する。
【００２７】
［画像解析用学習処理］
図４に基づいて、動物診断システム１が実行する画像解析用学習処理について説明する。図４は、コンピュータ１０が実行する画像解析用学習処理のフローチャートを示す図である。上述した各モジュールが実行する処理について、本処理に併せて説明する。
【００２８】
動物画像取得モジュール２０は、動物の動物画像を取得する（ステップＳ１０）。ステップＳ１０において、動物画像取得モジュール２０が取得する動物画像とは、例えば、可視光画像、赤外線画像、レントゲン画像、ＣＴスキャン画像又は超音波画像の少なくとも一つである。動物画像取得モジュール２０は、これらの動物画像を、対応する撮像装置から取得してもよいし、図示していないコンピュータ等を介して取得してもよい。以下の説明において、動物画像取得モジュール２０は、動物画像として、牛の可視光画像を取得するものとして説明する。
【００２９】
なお、動物画像取得モジュール２０は、図示していない外部コンピュータ等に記憶されたデータベース等から、動物画像を取得してもよい。
【００３０】
記憶モジュール３０は、動物画像を記憶する（ステップＳ１１）。ステップＳ１１において、記憶モジュール３０は、今回動物画像を取得した動物の識別子（動物の名称、管理番号、予め設定された整理番号、その他の動物を一意に特定可能な識別子等）と、動物画像とを対応付けて記憶する。なお、記憶モジュール３０は、動物画像のみを記憶してもよい。
【００３１】
診断結果取得モジュール２１は、今回取得した動物画像に該当する動物の診断結果を取得する（ステップＳ１２）。ステップＳ１２において、診断結果取得モジュール２１は、例えば、畜産カルテ等を記憶する図示していない外部コンピュータや、獣医師又は畜産関係者が保有する端末装置等から、診断結果を取得する。本実施形態における診断結果とは、例えば、発情の有無、疾病の特定、必要な処置の特定等である。
【００３２】
学習モジュール４０は、記憶モジュール３０が記憶した動物画像と、診断結果取得モジュール２１が取得した診断結果とを対応付けて学習する（ステップＳ１３）。ステップＳ１３において、学習モジュール４０は、上述した、可視光画像、赤外線画像、レントゲン画像、ＣＴスキャン画像又は超音波画像の少なくとも一つを診断結果と対応付けて学習する。
【００３３】
記憶モジュール３０は、学習した結果を、記憶する（ステップＳ１４）。
【００３４】
動物診断システム１は、上述した画像解析用学習処理を、十分な回数実行し、学習した結果を記憶する。
【００３５】
以上が、画像解析用学習処理である。
【００３６】
［動物情報分析用学習処理］
図５に基づいて、動物診断システム１が実行する動物情報分析用学習処理について説明する。図５は、コンピュータ１０が実行する動物情報分析用学習処理のフローチャートを示す図である。上述した各モジュールが実行する処理について、本処理に併せて説明する。
【００３７】
動物情報取得モジュール２２は、動物の動物情報を取得する（ステップＳ２０）。ステップＳ２０において、動物情報取得モジュール２２が取得する動物情報とは、例えば、各種センサが計測した歩数データ等の環境データ、疾病や発情の履歴データである畜産カルテ、血液検査の結果又はＢＣＳの少なくとも一つである。動物情報取得モジュール２２は、これらの動物情報を、対応する各種装置等から取得してもよいし、図示していないコンピュータ等を介して取得してもよい。以下の説明において、動物情報取得モジュール２２は、動物情報として、歩数データを取得するものとして説明する。
【００３８】
記憶モジュール３０は、動物情報を記憶する（ステップＳ２１）。記憶モジュール３０は、今回動物情報を取得した動物の識別子（動物の名称、管理番号、予め設定された整理番号、その他の動物を一意に特定可能な識別子等）と、動物情報とを対応付けて記憶する。なお、記憶モジュール３０は、動物情報のみを記憶してもよい。
【００３９】
診断結果取得モジュール２１は、今回取得した動物情報に該当する動物の診断結果を取得する（ステップＳ２２）。ステップＳ２２において、診断結果取得モジュール２１は、例えば、畜産カルテ等を記憶する図示していない外部コンピュータや、獣医師又は畜産関係者が保有する端末装置等から、診断結果を取得する。本実施形態における診断結果とは、例えば、発情の有無、疾病の特定、必要な処置の特定等である。
【００４０】
学習モジュール４０は、記憶モジュール３０が記憶した動物情報と、診断結果取得モジュール２１が取得した診断結果とを対応付けて学習する（ステップＳ２３）。ステップＳ２３において、学習モジュール４０は、上述した各種センサが計測した歩数データ等の環境データ、疾病や発情の履歴データである畜産カルテ、血液検査の結果又はＢＣＳの少なくとも一つを診断結果と対応付けて学習する。
【００４１】
記憶モジュール３０は、学習した結果を、記憶する（ステップＳ２４）。
【００４２】
動物診断システム１は、上述した動物情報分析用学習処理を、十分な回数実行し、学習した結果を記憶する。
【００４３】
以上が、動物情報分析用学習処理である。
【００４４】
［動物診断処理］
図６に基づいて、動物診断システム１が実行する動物診断処理について説明する。図６は、コンピュータ１０が実行する動物診断処理のフローチャートを示す図である。上述した各モジュールが実行する処理について、本処理に併せて説明する。なお、以下の説明において、動物診断システム１は、牛の可視光画像及び歩数データに基づいて、牛を診断するものとして説明する。
【００４５】
動物画像取得モジュール２０は、動物の動物画像を取得する（ステップＳ３０）。ステップＳ３０において、動物画像取得モジュール２０が取得する動物画像とは、例えば、可視光画像、赤外線画像、レントゲン画像、ＣＴスキャン画像又は超音波画像の少なくとも一つである。動物画像取得モジュール２０は、これらの動物画像を、対応する撮像装置から取得してもよいし、図示していないコンピュータ等を介して取得してもよい。
【００４６】
画像解析モジュール４１は、取得した動物画像を画像解析する（ステップＳ３１）。ステップＳ３１において、学習モジュール４０が学習した結果に基づいて、動物画像を画像解析する。画像解析モジュール４１は、今回取得した動物画像の特徴量（発情兆候、発情時における特徴的な行動、発情粘液等）を解析する。画像解析モジュール４１は、学習した結果から、診断を下すために必要な画像の部位や特徴等の複数の候補を解析する。画像解析モジュール４１は、例えば、動物画像から牛の特徴量を抽出し、追従、乗駕、休息中の規律、横臥中の突き行動、乗駕許容、粘液の流出、並び、争い、顎休め、フレーメン、乗駕検出器具を解析する。画像解析モジュール４１は、画像解析の結果として、必ずしも発情や疾病の特定を行うものに限らず、後述する診断のための情報を得ることのみであってもよい。例えば、画像解析モジュール４１は、診断のための予備情報を画像解析の結果から得てもよい。
【００４７】
動物情報取得モジュール２２は、動物の動物情報を取得する（ステップＳ３２）。ステップＳ３２において、動物情報取得モジュール２２は、動物情報として、各種センサが計測した歩数データ等の環境データ、疾病や発情の履歴データである畜産カルテ、血液検査の結果又はＢＣＳの少なくとも一つを取得する。動物情報取得モジュール２２は、これらの動物情報を、対応する各種装置等から取得してもよいし、図示していないコンピュータ等を介して取得してもよい。
【００４８】
動物情報分析モジュール４２は、取得した動物情報を分析する（ステップＳ３３）。ステップＳ３３において、動物情報分析モジュール４２は、学習モジュール４０が学習した結果に基づいて、動物情報を分析する。動物情報分析モジュール４２は、学習した結果から、診断を下すために必要な動物情報の複数の候補を分析する。動物情報分析モジュール４２は、例えば、発情期、呼吸器疾患、創傷性疾患、寄生虫病、繁殖障害、胃腸性疾患、代謝病等に動物が該当するか否かを分析する。動物情報分析モジュール４２は、例えば、動物情報として、歩数データを取得し、この歩数データに該当する症状として、発情期の疑いがあると分析する。動物情報分析モジュール４２は、分析の結果として、必ずしも、発情や疾病の特定を行うものに限らず、後述する診断のための情報を得ることのみであってもよい。例えば、動物情報分析モジュール４２は、診断のための予備情報を分析の結果から得てもよい。
【００４９】
相関関係分析モジュール４３は、画像解析モジュール４１が画像解析した結果と、動物情報分析モジュール４２が分析した結果との相関関係を分析する（ステップＳ３４）。ステップＳ３４において、例えば、相関関係分析モジュール４３は、画像解析モジュール４１が画像解析した結果として、牛の動き、外陰部から発情粘液が流出、牛が一列に並んでいるとの解析結果と、動物情報分析モジュール４２が分析した結果として、発情期の疑いがあるとの分析結果との相関関係を分析する。ここで、相関関係分析モジュール４３は、相関関係をスコアとして分析する。すなわち、相関関係分析モジュール４３は、解析結果から得られた診断と、分析結果から得られた診断とがどの程度相関があるかをスコアとして評価する。相関関係分析モジュール４３は、上述した画像解析の結果得られた各項目の診断結果の其々に対して、分析の結果得られた各項目の診断結果との相関の程度を評価する。相関関係分析モジュール４３は、相関関係が高いものを高スコアとして評価し、相関関係が低いものを低スコアとして評価する。
【００５０】
診断モジュール４４は、分析した相関関係の結果に基づいて、動物を診断する（ステップＳ３５）。ステップＳ３５において、診断モジュール４４は、分析した相関関係の結果として、スコアが最も高い評価の診断結果の組み合わせに基づいて、動物の発情や疾病を特定する。例えば、診断モジュール４４は、上述した画像解析の結果と、上述した動物情報の分析の結果と、その相関関係の分析の結果とに基づいて、今回の動物は、発情期であると特定する。
【００５１】
学習モジュール４０は、今回の診断結果を動物画像と動物情報とに対応付けて学習する（ステップＳ３６）。
【００５２】
記憶モジュール３０は、学習した結果を記憶する（ステップＳ３７）。コンピュータ１０は、次以降の診断の際に、今回学習した結果も加味した診断を行う。
【００５３】
なお、コンピュータ１０は、診断結果を、図示してない獣医師又は畜産関係者が保有する端末装置等に送信してもよい。この場合、予め登録された端末装置からの要求や診断の結果、異常が発見された場合等において、この端末装置に対して、診断結果を送信すればよい。このとき、診断結果とともに、具体的な処置の方法、最寄りの対応施設の地図や連絡先等の情報、危険度等の各種情報を合わせて送信してもよい。この各種情報を受信した端末装置は、各種情報を表示又は音声等により通知してもよい。
【００５４】
以上が、動物診断処理である。
【００５５】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５６】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５７】
１  動物診断システム１０  コンピュータ
【図１】
2018179219.tif 000003
【図２】
2018179219.tif 000004
【図３】
2018179219.tif 000005
【図４】
2018179219.tif 000006
【図５】
2018179219.tif 000007
【図６】
2018179219.tif 000008
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
動物を診断するコンピュータシステムであって、
前記動物の動物画像を取得する動物画像取得手段と、
取得した前記動物画像に対して、診断を下すために必要な複数の候補を画像解析し、診断に必要な候補を特定する動物画像解析手段と、
前記動物の動物情報を取得する動物情報取得手段と、
取得した前記動物情報に対して、診断を下すために必要な複数の候補を分析し、診断に必要な候補を特定する動物情報分析手段と、
前記画像解析した結果と、前記分析した結果との相関関係を分析する相関関係分析手段と、
分析した前記相関関係の結果に基づいて、前記動物を診断する動物診断手段と、
を備えることを特徴とするコンピュータシステム。
【請求項２】
前記動物画像解析手段は、予め記憶した動物画像と診断結果とを対応付けて学習し、学習した結果に基づいて、前記動物画像を画像解析する、
ことを特徴とする請求項１に記載のコンピュータシステム。
【請求項３】
前記動物情報分析手段は、予め記憶した動物情報と診断結果とを対応付けて学習し、学習した結果に基づいて、前記動物情報を分析する、
ことを特徴とする請求項１に記載のコンピュータシステム。
【請求項４】
前記動物画像解析手段は、予め記憶した可視光画像、赤外線画像、レントゲン画像、ＣＴスキャン画像又は超音波画像の少なくとも一つを診断結果と対応付けて学習し、
前記動物情報分析手段は、予め記憶した歩数データ、畜産カルテ、血液検査又はＢＣＳの少なくとも一つを診断結果と対応付けて学習する、
ことを特徴とする請求項１に記載のコンピュータシステム。
【請求項５】
動物を診断するコンピュータシステムが実行する動物診断方法であって、
前記動物の動物画像を取得するステップと、
取得した前記動物画像に対して、診断を下すために必要な複数の候補を画像解析し、診断に必要な候補を特定するステップと、
前記動物の動物情報を取得するステップと、
取得した前記動物情報に対して、診断を下すために必要な複数の候補を分析し、診断に必要な候補を特定するステップと、
前記画像解析した結果と、前記分析した結果との相関関係を分析するステップと、
分析した前記相関関係の結果に基づいて、前記動物を診断するステップと、
を備えることを特徴とする動物診断方法。
【請求項６】
動物を診断するコンピュータシステムに、
前記動物の動物画像を取得するステップ、
取得した前記動物画像に対して、診断を下すために必要な複数の候補を画像解析し、診断に必要な候補を特定するステップ、
前記動物の動物情報を取得するステップ、
取得した前記動物情報に対して、診断を下すために必要な複数の候補を分析し、診断に必要な候補を特定するステップ、
前記画像解析した結果と、前記分析した結果との相関関係を分析するステップ、
分析した前記相関関係の結果に基づいて、前記動物を診断するステップ、
を実行させるためのコンピュータ読み取り可能なプログラム。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
動物を診断するコンピュータシステムであって、
前記動物の動物画像を取得する動物画像取得手段と、
予め記憶した動物画像と、過去の診断結果とを対応付けて学習する動物画像診断結果学習手段と、
取得した前記動物画像に対して、前記学習の結果に基づいて、診断を下すために必要な複数の候補を画像解析し、診断に必要な候補を特定し、当該診断のための予備情報を取得する動物画像解析手段と、
前記動物の動物情報を取得する動物情報取得手段と、
予め記憶した動物情報と、過去の診断結果とを対応付けて学習する動物情報診断結果学習手段と、
取得した前記動物情報に対して、前記学習の結果に基づいて、診断を下すために必要な複数の候補を分析し、診断に必要な候補を特定し、当該診断のための予備情報を取得する動物情報分析手段と、
前記画像解析した結果と、前記分析した結果との相関関係を分析する相関関係分析手段と、
分析した前記相関関係の結果に基づいて、前記動物を診断する動物診断手段と、
を備えることを特徴とするコンピュータシステム。
【請求項２】
前記動物画像診断結果学習手段は、予め記憶した可視光画像、赤外線画像、レントゲン画像、ＣＴスキャン画像又は超音波画像の少なくとも一つを診断結果と対応付けて学習し、
前記動物情報診断結果学習手段は、予め記憶した歩数データ、畜産カルテ、血液検査又はＢＣＳの少なくとも一つを診断結果と対応付けて学習する、
ことを特徴とする請求項１に記載のコンピュータシステム。
【請求項３】
動物を診断するコンピュータシステムが実行する動物診断方法であって、
前記動物の動物画像を取得するステップと、
予め記憶した動物画像と、過去の診断結果とを対応付けて学習するステップと、
取得した前記動物画像に対して、前記学習の結果に基づいて、診断を下すために必要な複数の候補を画像解析し、診断に必要な候補を特定し、当該診断のための予備情報を取得するステップと、
前記動物の動物情報を取得するステップと、
予め記憶した動物情報と、過去の診断結果とを対応付けて学習するステップと、
取得した前記動物情報に対して、前記学習の結果に基づいて、診断を下すために必要な複数の候補を分析し、診断に必要な候補を特定し、当該診断のための予備情報を取得するステップと、
前記画像解析した結果と、前記分析した結果との相関関係を分析するステップと、
分析した前記相関関係の結果に基づいて、前記動物を診断するステップと、
を備えることを特徴とする動物診断方法。
【請求項４】
動物を診断するコンピュータシステムに、
前記動物の動物画像を取得するステップ、
予め記憶した動物画像と、過去の診断結果とを対応付けて学習するステップ、
取得した前記動物画像に対して、前記学習の結果に基づいて、診断を下すために必要な複数の候補を画像解析し、診断に必要な候補を特定し、当該診断のための予備情報を取得するステップ、
前記動物の動物情報を取得するステップ、
予め記憶した動物情報と、過去の診断結果とを対応付けて学習するステップ、
取得した前記動物情報に対して、前記学習の結果に基づいて、診断を下すために必要な複数の候補を分析し、診断に必要な候補を特定し、当該診断のための予備情報を取得するステップ、
前記画像解析した結果と、前記分析した結果との相関関係を分析するステップ、
分析した前記相関関係の結果に基づいて、前記動物を診断するステップ、
を実行させるためのコンピュータ読み取り可能なプログラム。
【手続補正２】
【補正対象書類名】明細書
【補正対象項目名】０００７
【補正方法】変更
【補正の内容】
【０００７】
本発明は、動物を診断するコンピュータシステムであって、
前記動物の動物画像を取得する動物画像取得手段と、
予め記憶した動物画像と、過去の診断結果とを対応付けて学習する動物画像診断結果学習手段と、
取得した前記動物画像に対して、前記学習の結果に基づいて、診断を下すために必要な複数の候補を画像解析し、診断に必要な候補を特定し、当該診断のための予備情報を取得する動物画像解析手段と、
前記動物の動物情報を取得する動物情報取得手段と、
予め記憶した動物情報と、過去の診断結果とを対応付けて学習する動物情報診断結果学習手段と、
取得した前記動物情報に対して、前記学習の結果に基づいて、診断を下すために必要な複数の候補を分析し、診断に必要な候補を特定し、当該診断のための予備情報を取得する動物情報分析手段と、
前記画像解析した結果と、前記分析した結果との相関関係を分析する相関関係分析手段と、
分析した前記相関関係の結果に基づいて、前記動物を診断する動物診断手段と、
を備えることを特徴とするコンピュータシステムを提供する。
【手続補正３】
【補正対象書類名】明細書
【補正対象項目名】０００８
【補正方法】変更
【補正の内容】
【０００８】
本発明によれば、動物を診断するコンピュータシステムは、前記動物の動物画像を取得し、予め記憶した動物画像と、過去の診断結果とを対応付けて学習し、取得した前記動物画像に対して、前記学習の結果に基づいて、診断を下すために必要な複数の候補を画像解析し、診断に必要な候補を特定し、当該診断のための予備情報を取得し、前記動物の動物情報を取得し、予め記憶した動物情報と、過去の診断結果とを対応付けて学習し、取得した前記動物情報に対して、前記学習の結果に基づいて、診断を下すために必要な複数の候補を分析し、診断に必要な候補を特定し、当該診断のための予備情報を取得し、前記画像解析した結果と、前記分析した結果との相関関係を分析し、分析した前記相関関係の結果に基づいて、前記動物を診断する。
【国際調査報告】
2018179219.tif 000009
2018179219.tif 000010
2018179219.tif 000011
2018179219.tif 000012